(57)【特許請求の範囲】
【請求項１】
光ディスクが挿入される開口部を有し、挿入された前記光ディスクを記録あるいは再生するための位置まで搬送するとともに搬送完了後に前記搬送方向とは略垂直方向に移動する搬送機構を備えた光ディスク装置であって、
前記記録あるいは再生するための光ピックアップを保持するベースを前記搬送方向とは略垂直方向に弾性部材で支持し、
前記光ディスクの搬送中は前記弾性部材を変形させて前記ベースを前記搬送方向とは略垂直方向であって前記光ディスクから遠ざかる方向に移動させ、前記搬送完了後は前記弾性部材を復帰させて前記ベースを前記搬送方向とは略垂直方向であって前記光ディスクに近づく方向に移動させるベース制御手段を有し、
前記ベース制御手段は、前記光ディスク装置に前記搬送機構の移動に連動して揺動するべく揺動自在に設けられ、その一端が前記搬送方向とは略垂直方向に弾性支持され、他端が前記ベースに当接するレバーを有し、
前記搬送中は前記レバーの一端が解放状態であるとともに前記レバーの他端により前記弾性部材を変形させ、前記搬送完了後は前記搬送機構の一部で前記レバーの一端が押圧されるとともに前記レバーの他端が移動して前記弾性部材を復帰させることを特徴とする光ディスク装置。
【請求項２】
光ディスクが挿入される開口部を有し、挿入された前記光ディスクを記録あるいは再生するための位置まで搬送するとともに搬送完了後に搬送方向とは略垂直方向に移動する移動搬送機構を備えた光ディスク装置であって、
前記記録あるいは再生するための光ピックアップを保持するベースを前記搬送方向とは略垂直方向に弾性部材で支持し、
前記光ディスクの搬送中は前記弾性部材を変形させて前記ベースを前記搬送方向とは略垂直方向であって前記光ディスクから遠ざかる方向に移動させ、前記搬送完了後は前記弾性部材を復帰させて前記ベースを前記搬送方向とは略垂直方向であって前記光ディスクに近づく方向に移動させるベース制御手段を有し、
前記ベース制御手段は、前記光ディスク装置に前記搬送機構の移動に連動して揺動するべく揺動自在に設けられ、その一端が前記搬送方向とは略垂直方向に弾性支持され、他端が前記ベースに当接するレバーを有し、
前記搬送中において前記搬送機構と前記レバーの一端が離れている場合、前記レバーの一端は弾性支持力により前記ベースから離れる方向に付勢され、前記レバーの他端は前記ベースに当接して前記レバーの一端の弾性支持力により前記弾性部材を変形させ、
前記搬送完了後において前記搬送機構の一部が前記レバーの一端に当接している場合、前記レバーの一端は弾性支持力に抗して前記ベースに近づく方向に移動し、前記レバーの他端は前記ベースから離れる方向に移動して前記弾性体を復帰させることを特徴とする光ディスク装置。
【請求項３】
請求項１または２に記載の装置において、
前記搬送方向は前記光ディスク装置の面内方向であり、前記搬送方向と略垂直方向は前記光ディスク装置の厚さ方向であることを特徴とする光ディスク装置。
【発明の詳細な説明】
【０００１】
【発明の属する技術分野】
本発明は光ディスク装置、特に光ディスクのスロットイン機構に関する。
【０００２】
【従来の技術】
従来より、ＣＤやＣＤ−ＲＯＭ、ＤＶＤ等の光ディスク装置には、光ディスクをディスク挿入口から挿入すると搬送機構により記録／再生位置まで搬送されるスロットイン機構が採用されている。
【０００３】
【発明が解決しようとする課題】
スロットイン機構では、挿入された光ディスクを円滑に記録／再生位置まで搬送することが必要であり、光ディスク装置の光ピックアップやターンテーブルなどを搬送経路外に確実に位置させるため、装置の厚みにある程度余裕を持たせる必要があり、光ディスク装置の一層の薄型化が困難である問題があった。すなわち、光ピックアップやターンテーブルなどは緩衝材で支持されたベースに取り付けられているが、搬送経路及び光ピックアップや緩衝材の高さを考慮して光ディスク装置の厚みを設計しなければならず、薄型化の障害となっていた。
【０００４】
本発明は、上記従来技術の有する課題に鑑みなされたものであり、その目的は、より一層の薄型化を図ることができる光ディスク装置を提供することにある。
【０００５】
【課題を解決するための手段】
上記目的を達成するために、本発明は、光ディスクが挿入される開口部を有し、挿入された前記光ディスクを記録あるいは再生するための位置まで搬送するとともに搬送完了後に前記搬送方向とは略垂直方向に移動する搬送機構を備えた光ディスク装置であって、前記記録あるいは再生するための光ピックアップを保持するベースを前記搬送方向とは略垂直方向に弾性部材で支持し、前記光ディスクの搬送中は前記弾性部材を変形させて前記ベースを前記搬送方向とは略垂直方向であって前記光ディスクから遠ざかる方向に移動させ、前記搬送完了後は前記弾性部材を復帰させて前記ベースを前記搬送方向とは略垂直方向であって前記光ディスクに近づく方向に移動させるベース制御手段を有し、前記ベース制御手段は、前記光ディスク装置に前記搬送機構の移動に連動して揺動するべく揺動自在に設けられ、その一端が前記搬送方向とは略垂直方向に弾性支持され、他端が前記ベースに当接するレバーを有し、前記搬送中は前記レバーの一端が解放状態であるとともに前記レバーの他端により前記弾性部材を変形させ、前記搬送完了後は前記搬送機構の一部で前記レバーの一端が押圧されるとともに前記レバーの他端が移動して前記弾性部材を復帰させることを特徴とする。
【０００６】
他の本発明は、光ディスクが挿入される開口部を有し、挿入された前記光ディスクを記録あるいは再生するための位置まで搬送するとともに搬送完了後に搬送方向とは略垂直方向に移動する移動搬送機構を備えた光ディスク装置であって、前記記録あるいは再生するための光ピックアップを保持するベースを前記搬送方向とは略垂直方向に弾性部材で支持し、前記光ディスクの搬送中は前記弾性部材を変形させて前記ベースを前記搬送方向とは略垂直方向であって前記光ディスクから遠ざかる方向に移動させ、前記搬送完了後は前記弾性部材を復帰させて前記ベースを前記搬送方向とは略垂直方向であって前記光ディスクに近づく方向に移動させるベース制御手段を有し、前記ベース制御手段は、前記光ディスク装置に前記搬送機構の移動に連動して揺動するべく揺動自在に設けられ、その一端が前記搬送方向とは略垂直方向に弾性支持され、他端が前記ベースに当接するレバーを有し、前記搬送中において前記搬送機構と前記レバーの一端が離れている場合、前記レバーの一端は弾性支持力により前記ベースから離れる方向に付勢され、前記レバーの他端は前記ベースに当接して前記レバーの一端の弾性支持力により前記弾性部材を変形させ、前記搬送完了後において前記搬送機構の一部が前記レバーの一端に当接している場合、前記レバーの一端は弾性支持力に抗して前記ベースに近づく方向に移動し、前記レバーの他端は前記ベースから離れる方向に移動して前記弾性体を復帰させることを特徴とする。
【０００８】
本装置において、前記搬送方向は前記光ディスク装置の面内方向であり、前記搬送方向と略垂直方向は前記光ディスク装置の厚さ方向とすることができる。
【０００９】
このように、本発明に係る光ディスク装置では、従来のように光ピックアップなどを支持するベースは緩衝材などの弾性部材で支持されるが、光ディスクの搬送中はこの弾性部材を搬送方向とは略垂直方向、具体的には光ディスク装置の厚さ方向に変形させ、光ディスクから遠ざける。弾性部材の変形により光ディスクの搬送路を確保するため、従来のように余分な厚みを持たせる必要がない。また、搬送完了後は弾性部材をもとの状態に復帰させることで、光ピックアップなどを本来の位置に復帰させることができる。
【００１０】
【発明の実施の形態】
以下、図面に基づき本発明の実施形態について説明する。
【００１１】
図１には、本実施形態に係る光ディスク装置の構成が示されている。光ディスク装置１は、フロント部に開口部を有し、ユーザは開口部から光ディスク１００を挿入する。光ディスク装置１の搬送部２には一対のアーム１０，１２が設けられており、アーム１０，１２の一端にはそれぞれピン１０ａ及び１２ａが設けられている。
【００１２】
アーム１０は支点１０ｂを介して搬送部２に遊嵌状態で軸支され、この支点１０ｂを中心として平面内で回動及び移動可能であり、アーム１０の回動に伴ってピン１０ａは搬送部２に形成された溝１１に沿って移動する。アーム１０の回動範囲はこの溝１１で規制される。また、アーム１２も支点１２ｂを介して搬送部２に遊嵌状態で軸支され、支点１２ｂを中心として平面内で回動及び移動可能であり、アーム１２の回動に伴ってピン１２ａは搬送部２に形成された溝１３に沿って移動する。アーム１２の回動範囲はこの溝１３で規制される。
【００１３】
また、アーム１０の他端は搬送部２に設けられたスプリング１０ｃに接続され、アーム１０が図中矢印ア方向（反時計方向）に回動する場合にはこのスプリング１０ｃの弾性力に抗して回動することになる。従って、アーム１０が図中ア方向に回動する場合には常に初期位置に戻ろうとする復元力が働く。アーム１２の他端も搬送部２に設けられたスプリング１２ｃに接続され、アーム１０と反対方向（時計方向）に回動する場合にはこのスプリング１２ｃの弾性力に抗して回動することになり、アーム１２にも初期位置に戻ろうとする復元力が働く。
【００１４】
ユーザが光ディスク１００をフロントの開口部から挿入すると、光ディスク１００の周縁部がアーム１０のピン１０ａ及びアーム１２のピン１２ａに当接し、この状態でユーザが光ディスク１００を押し込むとスプリング１０ｃ及び１２ｃの弾性力に抗してアーム１０及びアーム１２が互いに逆方向に回動する。スプリング１０ｃ及び１２ｃの弾性力により、ピン１０ａ及び１２ａは常に光ディスク１００の周縁部に当接した状態となる。
【００１５】
搬送部２は、光ディスク装置１の側面に形成された案内溝に沿って図中矢印イ方向（図中上下方向）に移動自在に支持されており、図示しないモータ及びラックピニオン機構からなる駆動部により駆動される。光ディスク１００が所定位置まで挿入された場合に、モータに駆動電流が供給され、搬送部２は光ディスク１００を記録／再生位置まで搬送する。その後、搬送部２は紙面に対して垂直方向（光ディスク装置１の厚さ方向）に移動し、光ディスク１００をスピンドル方向に下降させてスピンドルにクランプする。光ディスク１００のクランプ動作についてはさらに後述する。
【００１６】
また、光ディスク装置１の基部には一端がスプリングで支持され、他端が光ピックアップやターンテーブルが支持されるベースの上面に接するレバー４２が設けられている。このレバーは「く」の字型に屈曲しており、その中央が揺動自在に軸支されている。ベースは従来と同様に緩衝材で支持されており、スプリングで支持された端部が解放状態にあるときにはその端部がスプリングの弾性力により上方に付勢されており、これによりベース上面に接する他方の端部は下方に押しつけられ、ベースを緩衝材の弾性力に抗して下方に押しつける。これにより、搬送部２が光ディスク１００を搬送する際には、光ピックアップやターンテーブルが設けられるベースが下方に後退し、搬送路が確保される。
【００１７】
図２には、光ディスク装置１を開口部の方向から見た前面図が示されている。搬送部２には上部トレイ１４及び下部トレイ１６が設けられており、この上下のトレイ１４，１６で挿入された光ディスク１００を挟持する構成である。上部トレイ１４及び下部トレイ１６は光ディスク１００の全周ではなく半周部分（光ディスク１００が搬送部に挿入された半周部分）を挟持する。
【００１８】
図３には、上部トレイ１４及び下部トレイ１６が模式的に示されている。上部トレイ１４及び下部トレイ１６は面平行に配置されるのではなく、互いに一定の角度をなして設けられており、下部トレイ１６は図中矢印ウ方向、すなわち上部トレイ１４の方向に向かって弾性により付勢されている。光ディスク１００を挿入する場合、下部トレイ１６の弾性力に抗して下部トレイ１６を下に押し広げて挿入する。これにより、光ディスク１００を確実に挟持できるとともに、（ａ）に示されるように直径１２センチの光ディスク１００を挿入する場合でも、（ｂ）に示されるように直径８センチの光ディスク１００を挿入する場合でも、同一の構成で挟持することができる。
【００１９】
以下、光ディスク１００を開口部に挿入して所定位置まで押し込み、搬送部２で光ディスク１００を記録／再生位置まで搬送する動作について順に説明する。
【００２０】
＜光ディスクの押し込み動作＞
図４には、図１の状態からさらに光ディスク１００を押し込んだ状態が示されており、図５には、図４の縦断面図が示されている。光ディスク１００を図１の状態からさらに押し込むと、光ディスク１００に当接したピン１０ａ及びピン１２ａがそれぞれ溝１１及び溝１３に沿って移動する。また、光ディスク１００は搬送部２に設けられた溝２０内に位置する第３のピン１８に当接する。この第３のピン１８は、搬送部２の上面パネルの裏面で軸１９ａを介して移動自在に配置されたピン支持プレート１９上に固定されている。第３のピン１８がピン支持プレート１９を介して搬送部２に接続されることにより、光ディスク１００の受け止めを安定的に行えるようにしている。つまり、第３のピン１８は、光ディスク１００がさらに押し込まれると、溝２０に沿って移動し、やがて溝２０の端部に当たって停止する。第３のピン１８が溝２０の端部に当たることでそれ以上の光ディスク１００の押し込みが規制され、この位置が光ディスク１００の押し込み最終位置となる。また、光ディスク１００の左右位置は、左右のピン１０ａ及び１２ａで規制される。光ディスク１００が押し込み最終位置に達すると、モータに駆動電流が流れ、搬送部２による光ディスク１００の搬送が開始される。
【００２１】
図５を用いて、光ディスク１００の押し込み時の搬送部２とそれに含まれる上部トレイ１４と下部トレイ１６、及び光ディスク装置１の側面視構造及びその関連を説明する。
【００２２】
光ディスク１００は上部トレイ１４と下部トレイ１６に挟まれた状態で搬送部２の内部に位置している。上部トレイ１４の側面には、搬送部２の側板２ａに形成された「略くの字」形状のガイド溝２ｂを介して、光ディスク装置１のフレーム側面に形成された案内溝２１ａ，２１ｂに遊嵌状態で係合する側面ピン１４ａ，１４ｂ（例えば、片側２本）が形成されている。この側面ピン１４ａ，１４ｂがガイド溝２ｂ及び案内溝２１ａ，２１ｂにガイドされながら移動することにより、後述する搬送部２の移動及び上部トレイ１４の所定動作を実現している。一方、下部トレイ１６の側面にも側面ピン１６ａ（例えば前後２本）が形成され、搬送部２の側板２ａに形成されたガイド溝２ｃに遊嵌状態で係合している。このガイド溝２ｃは、後述する下部トレイ１６の昇降移動をガイドすべく、「略くの字」形状を呈している。なお、光ディスク１００の押し込み時、上部トレイ１４の側面ピン１４ａ，１４ｂは、案内溝２１ａの開口部側端部、及びガイド溝２ｂの最上部に位置している。また、下部トレイ１６の側面ピン１６ａもガイド溝２ｃの最上部に位置している。
【００２３】
＜光ディスクの搬送動作＞
図６及び図７には、搬送部２による光ディスク１００の搬送途中の動作が示されている。ピニオンとラックにより搬送部２は光ディスク装置１の両側面に形成された案内溝２１ａ，２１ｂに沿って図中矢印イ方向に移動する。
【００２４】
搬送部２が光ディスク１００を挟持しながら移動すると、やがて搬送部２の左右上端部に設けられたピン４０が光ディスク装置１の基台端部に設けられた左右の回動子２２，２４に係合するようになる。左右の回動子２２，２４はその中心が基台に軸支され、その一端に二股の爪部が形成され、他端は共通のアーム３２に接続されている。ピン４０はこの二股の爪部の一方に当接する。爪の一方に当接しつつ搬送部２がさらに図中イ方向に移動すると、回動子２２，２４はその軸を中心として回動する。このとき、ピン４０は二股の爪の間に位置する。搬送部２が案内溝に沿って左右同量だけ移動すれば問題ないが、左右の移動量が異なった場合、例えば図中右側の移動距離が長く、左側の移動距離が短い場合（搬送部２が全体として反時計回りに傾いている場合）には、まず右側の回動子２２の爪に搬送部２のピン４０が当接し、回動子２２が支点を中心として反時計方向に回動するようになる。回動子２２と回動子２４は、上述したように共通のアーム３２で接続されているから、回動子２２の回動運動はアーム３２を介して左側の回動子２４に伝達され、回動子２４を時計方向に回動させる。回動子２４の回動により搬送部２の左側のピン４０を引き込み、搬送部２の左側の移動距離を増大させる。搬送部２の左側の移動距離が右側の移動距離よりも長い場合（搬送部２が時計回りに傾いている）も同様であり、まず回動子２４が回動し、この回動運動に連動して回動子２２が回動し始め、左右の移動距離を均等化する。この時、図７に示すように、搬送部２全体が光ディスク装置１に対して移動するので、上部トレイ１４の側面ピン１４ａ，１４ｂは案内溝２１ａ，２１ｂに沿って移動するのみで、側面ピン１４ａ，１４ｂ、及び側面ピン１６ａのガイド溝２ｂ，２ｃにおける位置は最上部のままである。
【００２５】
図８及び図９には、以上のようにして搬送部２が光ディスク１００を記録／再生位置まで搬送した状態が示されている。記録／再生位置まで搬送すると、搬送部２の左右に設けられた移動子２５，２７が基台の端部（図における上端部）に当接し、搬送部２に対して相対的に図中矢印エ方向に移動する。移動子２５，２７にはその表面にピン２５ａ，２７ａ、側面に切り欠き部２５ｂ，２７ｂが形成されている。このピン２５ａ，２７ａが搬送部２のアーム１０，１２近傍に形成されたカム２６，２８の爪にそれぞれ係合し、切り欠き部２５ｂ，２７ｂはピン１０ａ，１２ａとの当接位置直近上部（図における上部）に位置している。カム２６，２８は搬送部２に回動自在に軸支されており、移動子２５，２７が図中エ方向に移動すると切り欠き部２５ｂ，２７ｂはピン１０ａ及び１２ａとの当接位置に移動し、カム２６は時計方向に回動し、カム２８は反時計方向に回動する。カム２６，２８のこの回動によりカム２６，２８がそれぞれアーム１０，１２に係合するようになり、アーム１０をさらに反時計方向に、そしてアーム１２をさらに時計方向に回動させる。アーム１０，１２のこの追加的な回動により、光ディスク１００に当接していたピン１０ａ及び１２ａがそれぞれ溝１１，１３内を追加移動し、光ディスク１００から離脱する。
【００２６】
また、図４に示されるように、搬送部２には第３のカム３０が回動自在に軸支されており、その一端が既述した第３のピン１８に当接している。搬送部２が光ディスク１００を記録／再生位置まで搬送すると、第３のカム３０が反時計方向に回動し、この回動により第３のピン１８を溝２０内の第２の位置２０ａに移動させる。第３のピン１８も搬送時には光ディスク１００に当接して押し込み位置を規定しているが、カム３０の回動に連動した位置２０ａへの移動により、光ディスク１００から離脱することになる。
【００２７】
この状態で、図９に示すように、上部トレイ１４の側面ピン１４ａ，１４ｂは、案内溝２１ａ，２１ｂの最も奥側（図９中右側）に位置し光ディスク１００の水平方向への搬送が終了する。この状態でも側面ピン１４ａ，１４ｂ，１６ａの位置はガイド溝２ｂ，２ｃの最上部のままである。
【００２８】
＜光ディスクのクランプ動作＞
図１０〜図１３には、光ディスク１００を記録／再生位置に搬送した後のクランプ動作が示されている。上部トレイ１４及び下部トレイ１６で光ディスク１００を挟持しつつ、搬送部２（少なくとも上部トレイ１４、下部トレイ１６）は図１１における矢印オのように搬送方向に垂直な下方（光ディスク装置１の厚さ方向）に移動する。この動作は、搬送部２の側板２ａがさらに搬送方向（図７の矢印イ方向）に移動することにより、上部トレイ１４の側面ピン１４ａ，１４ｂが端部で垂直方向に方向を変えた案内溝２１ａ，２１ｂによって水平方向の移動を規制された状態で、「略くの字」型に屈曲した搬送部２の側板２ａに形成されたガイド溝２ｂに沿って、ガイド溝２ｂの最下部に移動することにより実現する。なお、水平方向に移動が規制された下部トレイ１６も側板２ａの移動に伴いその側面ピン１６ａがガイド溝２ｃに沿って最下部に移動する。この移動により、光ディスク１００の内径部分をターンテーブルのクランパに挿入する。クランパには光ディスク１００の径方向に進退自在な爪あるいはボールクランパが形成されており、この爪あるいはボールクランパにより光ディスク１００の内径部分をクランプする。
【００２９】
また、搬送部２（少なくとも上部トレイ１４及び下部トレイ１６）が下方に移動する場合、下部トレイ１６の下面がレバー４２のスプリングで支持された端部に当接してスプリングの弾性力に抗して端部を押し下げる。レバー４２はその中央で揺動自在に軸支されているから、一方の端部の押し下げにより他方の端部は逆に上方に移動することとなり、他方の端部で規制していたベースを解放することになる。
【００３０】
図１４には、光ディスク１００を下降させてクランプする際のベースの動作が模式的に示されている。（ａ）に示されるように、下部トレイ１６がレバー４２の一方の端部（スプリングで支持された端部）の上方に位置し、搬送部２の下方移動に伴って下方に移動する。この下方移動により、（ｂ）に示されるようにレバー４２の端部はスプリングに抗して押し下げられ、逆にレバー４２の他方の端部は上方に移動する。光ディスク１００搬送時にはレバー４２の他方の端部はベース５０の上面に位置し、緩衝材で支持されたベース５０を下方に押しつけているが、レバー４２の揺動によりベース５０が解放され、ベース５０及びこのベース５０に設けられた光ピックアップ５２も緩衝材の弾性力により上方にＬだけ移動する。このように、搬送時には緩衝材を弾性変形させてベース５０をＬだけ下方に位置させ、搬送完了後にベースを上方に移動させることで、緩衝材を弾性変形させずに配置する場合に比べて光ディスク装置全体の厚みを薄くすることができる。
【００３１】
以上のようにして光ディスク１００をクランプした後、図１２及び図１３に示されるように上部トレイ１４を上方に移動させる。つまり、図１３に示すように搬送部２の側板２ａがさらに搬送方向（図７の矢印イ方向）に移動することにより、上部トレイ１４の側面ピン１４ａ，１４ｂが上方に屈曲したガイド溝２ｂ（図５等を参照）に沿ってさらに移動し、上部トレイ１４を上方に移動させる。また、下部トレイ１６を同様に側板２ａの動作によってさらに下方に移動させて光ディスク１００から離脱させる。これにより、光ディスク１００はスピンドルにクランプされた状態で回転自在となる。図１３は、クランプが開放された状態である。
【００３２】
図１５には、光ディスク１００をクランプする動作がより詳細に示されている。（ａ）に示されるように光ディスク１００を記録／再生位置まで搬送すると、光ディスク１００の内径部分はスピンドル５１の略真上に位置する。この状態で（ｂ）に示されるように搬送部２が下方に移動し、上部トレイ１４及び下部トレイ１６に挟持された光ディスク１００も下方に移動し、ターンテーブルのスピンドル５１に挿入される。このとき、上部トレイ１４及び下部トレイ１６は光ディスク１００の半周部分のみを挟持しているため、光ディスク１００の内径部分がスピンドル５１の先端部分に当接した後、光ディスク１００は上部トレイ１４及び下部トレイ１６で把持された半周部分から先に下方に移動することとなり、光ディスク１００はスピンドル５１に対して傾いて挿入されることになる。これにより、スピンドル５１の先端部に対称に（例えば３回対称位置に）形成されている爪部あるいはボールクランパのうち、傾いた側に位置する爪部あるいはボールクランパに最初に光ディスク１００の内径部分がクランプされることになり、その後他の爪部あるいはボールクランパにクランプされることになる。
【００３３】
また、レバー４２の他端が揺動により上方に移動し、これによりベース５０が緩衝材の弾性力により上方に移動する。（ａ）と（ｂ）において、レバー４２の他端の位置及びベース５０の位置が異なっていることに着目されたい。
【００３４】
最後に、（ｃ）に示されるように、搬送部２の上部トレイ１４を上方に再移動させ、光ディスク１００を上方から押さえていた上部トレイ１４を光ディスク１００から離脱させ、また、下部トレイ１６を搬送部２から解放し、搬送部２とは逆にさらに下方に移動させて光ディスク１００から離脱させる。（ｃ）の状態では、光ディスク１００はその内径部でスピンドル５１に接しているだけで、ピン１０ａ，１２ａ，１８、さらに上部トレイ１４，１６のいずれにも当接しておらず、スピンドル５１の回転により光ディスク１００が回転し、記録／再生が可能となる。
【００３５】
このように、本実施形態では光ディスク装置１のスロットイン機構において、光ピックアップやターンテーブルのベースを緩衝材を弾性変形させることで下方に位置させ、搬送が完了した後に緩衝材を解放してベースを本来の位置に復帰させるので、ベースやベースに支持されている部材と衝突することなく光ディスクを搬送できるとともに、光ディスク装置１を薄型化することができる。
【００３６】
なお、本実施形態においては、搬送部２の動作によりレバー４２を動作させ、ベースの緩衝材を弾性変形させて下方に移動させることにより光ディスク１００の搬送をスムーズに行う構成を説明したが、本実施形態で示した搬送部２に限定させることなく、任意の形態の光ディスク１００の搬送機構に連動して動作する機構によりベースの緩衝材を弾性変形を行うようにしてもよく、本実施形態と同様な効果を得ることができる。
【００３７】
【発明の効果】
以上説明したように、本発明によれば光ディスクの搬送路を確保するとともに、装置全体の薄型化を図ることができる。
【図面の簡単な説明】
【図１】  実施形態の初期状態における平面図である。
【図２】  図１の前面図である。
【図３】  上部トレイ及び下部トレイの動作説明図である。
【図４】  光ディスク押し込み動作時の平面図（その１）である。
【図５】  図４の縦断面図である。
【図６】  光ディスク押し込み動作時の平面図（その２）である。
【図７】  図６の縦断面図である。
【図８】  光ディスク押し込み動作時の平面図（その３）である。
【図９】  図８の縦断面図である。
【図１０】  光ディスククランプ時の平面図（その１）である。
【図１１】  図１０の縦断面図である。
【図１２】  光ディスククランプ時の平面図（その２）である。
【図１３】  図１２の縦断面図である。
【図１４】  ベースの動作説明図である。
【図１５】  光ディスククランプ時の動作説明図である。
【符号の説明】
１  光ディスク装置、２  搬送部、１０，１２  アーム、１０ａ，１２ａ  ピン、１０ｃ，１２ｃ  スプリング、１１，１３，２０  溝、１４  上部トレイ、１６  下部トレイ、１８  ピン、２２，２４  回動子、２６，２８  カム、３０カム（第３のカム）、３２  アーム（共通アーム）、４０  ピン、４２  レバー、５０  ベース、５１  スピンドル、５２  光ピックアップ。
【図１】
0003818095.tif 000002
【図２】
0003818095.tif 000003
【図３】
0003818095.tif 000004
【図４】
0003818095.tif 000005
【図５】
0003818095.tif 000006
【図６】
0003818095.tif 000007
【図７】
0003818095.tif 000008
【図８】
0003818095.tif 000009
【図９】
0003818095.tif 000010
【図１０】
0003818095.tif 000011
【図１１】
0003818095.tif 000012
【図１２】
0003818095.tif 000013
【図１３】
0003818095.tif 000014
【図１４】
0003818095.tif 000015
【図１５】
0003818095.tif 000016